(57)【要約】      （修正有）【課題】モーションコントラスト画像の画質向上を目的とした合成を行うための撮影をする情報処理装置および情報処理方法を提供する。【解決手段】被検眼の第一の３次元モーションコントラスト画像を取得する取得手段と、前記第一の３次元モーションコントラスト画像の撮影時と同一固視標位置で撮影される画像であって前記第一の３次元モーションコントラスト画像と合成される前記被検眼の第二の３次元モーションコントラスト画像の取得に関する指示を受け付けるインタフェース、および、前記第一の３次元モーションコントラスト画像とを表示手段に表示させる表示制御手段とを備える情報処理装置。【選択図】図１
2019047842.tif 000002
【特許請求の範囲】
【請求項１】
被検眼の第一の３次元モーションコントラスト画像を取得する取得手段と、
前記第一の３次元モーションコントラスト画像の撮影時と同一固視標位置で撮影される画像であって前記第一の３次元モーションコントラスト画像と合成される前記被検眼の第二の３次元モーションコントラスト画像の取得に関する指示を受け付けるインタフェース、および、前記第一の３次元モーションコントラスト画像とを表示手段に表示させる表示制御手段とを備える情報処理装置。
【請求項２】
前記第一の３次元モーションコントラスト画像と前記第二の３次元モーションコントラスト画像とを合成する合成手段をさらに備えることを特徴とする請求項１に記載の情報処理装置。
【請求項３】
前記合成手段は、前記第一の３次元モーションコントラスト画像と前記第二の３次元モーションコントラスト画像との加算平均を計算することを特徴とする請求項２に記載の情報処理装置。
【請求項４】
前記第一の３次元モーションコントラスト画像と前記第二の３次元モーションコントラスト画像とは同一の主走査方向に光を走査することで撮影された画像であることを特徴とする請求項１乃至３のいずれか１項に記載の情報処理装置。
【請求項５】
前記表示制御手段は、進捗情報として繰り返し撮像回数、繰り返し撮像により取得した画像の総数、繰り返し撮像により取得した画像のうち許容判定された画像数、取得した画像の撮影条件、取得した画像に関する評価データ、取得済モーションコントラスト画像の合成画像のうち少なくとも１つを表示手段に表示させることを特徴とする請求項１乃至４のいずれか１項に記載の情報処理装置。
【請求項６】
前記情報処理装置は記憶手段をさらに備え、
前記取得した画像及び前記取得した画像の撮影条件もしくは評価データ、取得済モーションコントラスト画像、合成モーションコントラスト画像、前記合成モーションコントラスト画像の合成条件データ、取得したモーションコントラスト画像群に関する属性データのうち少なくとも１つを保存することを特徴とする請求項１乃至５のいずれか１項に記載の情報処理装置。
【請求項７】
前記情報処理装置は、左右眼の選択、主走査方向、走査位置、同一位置において取得する断層像数、追尾処理の実施有無、追尾用に用いる正面画像、固視標位置、コヒーレンスゲート位置の少なくとも１つの設定に関して、前記第一の３次元モーションコントラスト画像を取得した際と同じ設定値を用いて前記第二の３次元モーションコントラスト画像を取得することを特徴とする請求項１乃至６のいずれか１項に記載の情報処理装置。
【請求項８】
前記情報処理装置は、前記第二の３次元モーションコントラスト画像を取得する際に、前記設定に関する変更指示を受け付けないか、操作者による前記設定の変更指示を受け付けた場合に前記表示手段に警告表示を行うことを特徴とする請求項７に記載の情報処理装置。
【請求項９】
前記情報処理装置は過去に取得した同一被検眼の検査の中から基準となる検査を指定する手段をさらに備え、前記基準検査において取得した正面画像を参照して前記基準検査において取得した断層画像もしくはモーションコントラスト画像と略同一位置の前記第一の３次元モーションコントラスト画像を取得することを特徴とする請求項１乃至８のいずれか１項に記載の情報処理装置。
【請求項１０】
前記表示制御手段は、前記合成手段が生成した前記合成画像を表示する際に、合成条件情報として繰り返し撮影回数、合成に用いた画像数、合成時の基準画像、何回目に撮像した画像かを示す数値、合成に用いた画像の撮影条件、合成に用いた画像に関する評価値の少なくとも１つを表示手段に表示させることを特徴とする請求項１乃至９のいずれか１項に記載の情報処理装置。
【請求項１１】
被検眼の第一の３次元モーションコントラスト画像を取得する取得工程と、
前記第一の３次元モーションコントラスト画像の撮影時と同一固視標位置で撮影される画像であって前記第一の３次元モーションコントラスト画像と合成される前記被検眼の第二の３次元モーションコントラスト画像の取得に関する指示を受け付ける工程、および、前記第一の３次元モーションコントラスト画像とを表示手段に表示させる表示制御工程とを備える情報処理方法。
【請求項１２】
請求項１１に記載の情報処理方法の各工程をコンピュータに実行させることを特徴とするプログラム。
【発明の詳細な説明】
【技術分野】
【０００１】
本明細書の開示は、情報処理装置、情報処理方法及びプログラムに関する。
【背景技術】
【０００２】
光干渉断層計（ＯＣＴ；Ｏｐｔｉｃａｌ  Ｃｏｈｅｒｅｎｃｅ  Ｔｏｍｏｇｒａｐｈｙ）眼科診療では眼底血管の病態を把握するためにこれまで侵襲的な蛍光眼底造影検査が行われてきた。近年は、光干渉断層計（ＯＣＴ；Ｏｐｔｉｃａｌ  Ｃｏｈｅｒｅｎｃｅ  Ｔｏｍｏｇｒａｐｈｙ）を用いて非侵襲に眼底血管を３次元で描出するＯＣＴ  Ａｎｇｉｏｇｒａｐｈｙ（以下、ＯＣＴＡと表記）技術が用いられるようになってきている。ＯＣＴＡでは測定光で同一位置を複数回走査し、赤血球の変位と測定光との相互作用により得られるモーションコントラストを画像化する。
【０００３】
特許文献１ではモーションコントラスト画像の撮影が上手く行われなかったと判断した場合にリトライボタンを押すことで、取得されたＯＣＴデータを放棄し再び撮影を行うことが開示されている。
【先行技術文献】
【特許文献】
【０００４】
【特許文献１】特開２０１７−００６１７９号公報
【発明の概要】
【発明が解決しようとする課題】
【０００５】
しかしながら、モーションコントラスト画像の画質向上を目的とした合成を行うための撮影をする際のユーザインターフェースについては開示されていない。
【０００６】
本発明はモーションコントラスト画像の合成を行うための撮影に適したユーザインターフェースを提供することを目的の１つとする。
【０００７】
なお、前記目的に限らず、後述する発明を実施するための形態に示す各構成により導かれる作用効果であって、従来の技術によっては得られない作用効果を奏することも本開示の他の目的の１つとして位置付けることができる。
【課題を解決するための手段】
【０００８】
本明細書に開示の情報処理装置は以下の構成を備える。
【０００９】
被検眼の第一の３次元モーションコントラスト画像を取得する取得手段と、
前記第一の３次元モーションコントラスト画像の撮影時と同一固視標位置で撮影される画像であって前記第一の３次元モーションコントラスト画像と合成される前記被検眼の第二の３次元モーションコントラスト画像の取得に関する指示を受け付けるインタフェース、および、前記第一の３次元モーションコントラスト画像とを表示手段に表示させる表示制御手段とを備える。
【発明の効果】
【００１０】
本明細書の開示によれば、モーションコントラスト画像の合成を行うための撮影に適したユーザインターフェースを提供することができる。
【図面の簡単な説明】
【００１１】
【図１】第一実施形態に係る情報処理装置の構成の一例を示すブロック図である。
【図２】実施形態に係る情報処理システムや、該情報処理システムを構成する断層画像撮影装置に含まれる測定光学系の一例を説明する図である。
【図３】第一実施形態に係る情報処理システムが実行する処理の一例を示すフローチャートである。
【図４】実施形態におけるＯＣＴＡ撮影の走査方法の一例を説明する図である。
【図５】第一実施形態において表示手段に表示する撮影条件設定画面及び撮影画面の一例を説明する図である。
【図６】第一実施形態のＳ３０６において表示手段に表示する撮影確認画面の一例を説明する図である。
【図７】第一実施形態に係る情報処理システムが実行可能な処理の一例を示すフローチャートである。
【図８】第一実施形態のＳ３１６において表示手段に表示するレポート画面の一例を説明する図である。
【図９】第一実施形態のＳ３１６において表示手段に表示するレポート画面の一例を説明する図である。
【図１０】第二実施形態に係る情報処理装置の構成の一例を示すブロック図である。
【図１１】第二実施形態に係る情報処理システムが実行する処理の一例を示すフローチャートである。
【図１２】第二実施形態において表示手段に表示する撮影条件設定画面及び撮影確認画面の一例を説明する図である。
【図１３】第三実施形態に係る情報処理装置の構成の一例を示すブロック図である。
【図１４】第三実施形態に係る情報処理システムが実行する処理の一例を示すフローチャートである。
【図１５】第三実施形態において表示手段に表示する基準検査の選択画面及び撮影画面の一例を説明する図である。
【図１６】第三実施形態において表示手段に表示する撮影確認画面の一例を説明する図である。
【発明を実施するための形態】
【００１２】
［第一の実施形態］
本実施形態に係る情報処理装置は、撮影確認画面に表示された進捗情報に基づいて操作者が繰り返し撮影ボタンを指定することにより繰り返しＯＣＴＡ撮影の継続可否を指示する。該指示により、所望の高コントラストな合成モーションコントラスト画像の生成に用いられるモーションコントラスト画像群を取得する場合について説明する。最初にＯＣＴＡの撮影方法について図４を用いて説明する。図４は主走査方向が水平（ｘ軸）方向で、副走査方向（ｙ軸方向）の各位置（ｙｉ；１≦ｉ≦ｎ）においてｒ回連続でＢスキャンを行うＯＣＴＡ撮影の例を示している。なおＯＣＴＡ撮像において同一位置で複数回走査することをクラスタ走査、同一位置で得られた複数枚の断層画像のことをクラスタと呼ぶ。クラスタ単位でモーションコントラストデータを生成し、１クラスタあたりの断層画像数（同一位置での走査回数）を増やすと、ＯＣＴＡ画像（モーションコントラスト画像）のコントラストが向上することが知られている。
【００１３】
以下、図面を参照しながら、第一実施形態に係る情報処理装置を備える情報処理システムについて説明する。
【００１４】
図２は、本実施形態に係る情報処理装置１０１を備える情報処理システム１０の構成を示す図である。図２に示すように、情報処理システム１０は、情報処理装置１０１が、インタフェースを介して断層画像撮影装置１００（ＯＣＴとも言う）、外部記憶部１０２、入力部１０３、表示部１０４と接続されることにより構成されている。
【００１５】
断層画像撮影装置１００は、眼部の断層画像を撮影する装置である。本実施形態においては、断層画像撮影装置１００としてＳＤ−ＯＣＴを用いるものとする。これに限らず、例えばＳＳ−ＯＣＴを用いて構成しても良い。
【００１６】
図２（ａ）において、測定光学系１００−１は前眼部像、被検眼のＳＬＯ眼底像、断層画像を取得するための光学系である。ステージ部１００−２は、測定光学系１００−１を前後左右に移動可能にする。ベース部１００−３は、後述の分光器を内蔵している。
【００１７】
情報処理装置１０１は、ステージ部１００−２の制御、アラインメント動作の制御、断層像の再構成などを実行するコンピュータである。外部記憶部１０２は、断層撮像用のプログラム、患者情報、撮影データ、正常眼データベースの統計値などを記憶する。
【００１８】
入力部１０３はコンピュータへの指示を行い、具体的にはキーボードとマウスから構成される。表示部１０４は、例えばモニタからなる。
【００１９】
（断層画像撮影装置の構成）
本実施形態の断層画像撮影装置１００における測定光学系及び分光器の構成について図２（ｂ）を用いて説明する。
【００２０】
まず、測定光学系１００−１の内部について説明する。被検眼２００に対向して対物レンズ２０１が設置され、その光軸上に第１ダイクロイックミラー２０２及び第２ダイクロイックミラー２０３が配置されている。これらのダイクロイックミラーによってＯＣＴ光学系の光路２５０、ＳＬＯ光学系と固視灯用の光路２５１、及び前眼観察用の光路２５２とに波長帯域ごとに分岐される。
【００２１】
ＳＬＯ光学系と固視灯用の光路２５１は、ＳＬＯ走査手段２０４、レンズ２０５及び２０６、ミラー２０７、第３ダイクロイックミラー２０８、ＡＰＤ（Ａｖａｌａｎｃｈｅ  Ｐｈｏｔｏｄｉｏｄｅ）２０９、ＳＬＯ光源２１０、固視灯２１１を有している。
【００２２】
ミラー２０７は、穴あきミラーや中空のミラーが蒸着されたプリズムであり、ＳＬＯ光源２１０による照明光と、被検眼からの戻り光とを分離する。第３ダイクロイックミラー２０８はＳＬＯ光源２１０の光路と固視灯２１１の光路とに波長帯域ごとに分離する。
【００２３】
ＳＬＯ走査手段２０４は、ＳＬＯ光源２１０から発せられた光を被検眼２００上で走査するものであり、Ｘ方向に走査するＸスキャナ、Ｙ方向に走査するＹスキャナから構成されている。本実施形態では、Ｘスキャナは高速走査を行う必要があるためポリゴンミラーで、Ｙスキャナはガルバノミラーによって構成されている。
【００２４】
レンズ２０５はＳＬＯ光学系及び固視灯２１１の焦点合わせのため、不図示のモータによって駆動される。ＳＬＯ光源２１０は７８０ｎｍ付近の波長の光を発生する。ＡＰＤ２０９は、被検眼からの戻り光を検出する。固視灯２１１は可視光を発生して被検者の固視を促すものである。
【００２５】
ＳＬＯ光源２１０から発せられた光は、第３ダイクロイックミラー２０８で反射され、ミラー２０７を通過し、レンズ２０６及び２０５を通ってＳＬＯ走査手段２０４によって被検眼２００上で走査される。被検眼２００からの戻り光は、照明光と同じ経路を戻った後、ミラー２０７によって反射され、ＡＰＤ２０９へと導かれ、ＳＬＯ眼底像が得られる。
【００２６】
固視灯２１１から発せられた光は、第３ダイクロイックミラー２０８、ミラー２０７を透過し、レンズ２０６及び２０５を通り、ＳＬＯ走査手段２０４によって被検眼２００上の任意の位置に所定の形状を作り、被検者の固視を促す。
【００２７】
前眼観察用の光路２５２には、レンズ２１２及び２１３、スプリットプリズム２１４、赤外光を検知する前眼部観察用のＣＣＤ２１５が配置されている。このＣＣＤ２１５は、不図示の前眼部観察用照射光の波長、具体的には９７０ｎｍ付近に感度を持つものである。スプリットプリズム２１４は、被検眼２００の瞳孔と共役な位置に配置されており、被検眼２００に対する測定光学系１００−１のＺ軸方向（光軸方向）の距離を、前眼部のスプリット像として検出できる。
【００２８】
ＯＣＴ光学系の光路２５０は前述の通りＯＣＴ光学系を構成しており、被検眼２００の断層画像を撮影するためのものである。より具体的には、断層画像を形成するための干渉信号を得るものである。ＸＹスキャナ２１６は光を被検眼２００上で走査するためのものであり、図２（ｂ）では１枚のミラーとして図示されているが、実際はＸＹ２軸方向の走査を行うガルバノミラーである。
【００２９】
レンズ２１７及び２１８のうち、レンズ２１７については光カプラー２１９に接続されているファイバー２２４から出射するＯＣＴ光源２２０からの光を、被検眼２００に焦点合わせするために不図示のモータによって駆動される。この焦点合わせによって、被検眼２００からの戻り光は同時にファイバー２２４の先端に、スポット状に結像されて入射されることとなる。次に、ＯＣＴ光源２２０からの光路と参照光学系、分光器の構成について説明する。２２０はＯＣＴ光源、２２１は参照ミラー、２２２は分散補償硝子、２２３はレンズ、２１９は光カプラー、２２４から２２７は光カプラーに接続されて一体化しているシングルモードの光ファイバー、２３０は分光器である。
【００３０】
これらの構成によってマイケルソン干渉計を構成している。ＯＣＴ光源２２０から出射された光は、光ファイバー２２５を通じ、光カプラー２１９を介して光ファイバー２２４側の測定光と、光ファイバー２２６側の参照光とに分割される。測定光は前述のＯＣＴ光学系光路を通じ、観察対象である被検眼２００に照射され、被検眼２００による反射や散乱により同じ光路を通じて光カプラー２１９に到達する。
【００３１】
一方、参照光は光ファイバー２２６、レンズ２２３、測定光と参照光の波長分散を合わせるために挿入された分散補償ガラス２２２を介して参照ミラー２２１に到達し反射される。そして同じ光路を戻り、光カプラー２１９に到達する。
【００３２】
光カプラー２１９によって、測定光と参照光は合波され干渉光となる。
【００３３】
ここで、測定光の光路長と参照光の光路長がほぼ同一となったときに干渉を生じる。参照ミラー２２１は、不図示のモータおよび駆動機構によって光軸方向に調整可能に保持され、測定光の光路長に参照光の光路長を合わせることが可能である。干渉光は光ファイバー２２７を介して分光器２３０に導かれる。
【００３４】
また、偏光調整部２２８、２２９は、各々光ファイバー２２４、２２６中に設けられ、偏光調整を行う。これらの偏光調整部は光ファイバーをループ状に引きまわした部分を幾つか持っている。このループ状の部分をファイバーの長手方向を中心として回転させることでファイバーに捩じりを加え、測定光と参照光の偏光状態を各々調整して合わせることができる。
【００３５】
分光器２３０はレンズ２３２、２３４、回折格子２３３、ラインセンサ２３１から構成される。光ファイバー２２７から出射された干渉光はレンズ２３４を介して平行光となった後、回折格子２３３で分光され、レンズ２３２によってラインセンサ２３１に結像される。
【００３６】
次に、ＯＣＴ光源２２０の周辺について説明する。ＯＣＴ光源２２０は、代表的な低コヒーレント光源であるＳＬＤ（Ｓｕｐｅｒ  Ｌｕｍｉｎｅｓｃｅｎｔ  Ｄｉｏｄｅ）である。中心波長は８５５ｎｍ、波長バンド幅は約１００ｎｍである。ここで、バンド幅は、得られる断層画像の光軸方向の分解能に影響するため、重要なパラメータである。
【００３７】
光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等を用いることができる。中心波長は眼を測定することを鑑みると近赤外光が適する。また、中心波長は得られる断層画像の横方向の分解能に影響するため、なるべく短波長であることが望ましい。双方の理由から中心波長は８５５ｎｍとした。
【００３８】
本実施形態では干渉計としてマイケルソン干渉計を用いたが、マッハツェンダー干渉計を用いても良い。測定光と参照光との光量差に応じて、光量差が大きい場合にはマッハツェンダー干渉計を、光量差が比較的小さい場合にはマイケルソン干渉計を用いることが望ましい。
【００３９】
（情報処理装置の構成）
本実施形態の情報処理装置１０１の構成について図１を用いて説明する。
【００４０】
情報処理装置１０１は断層画像撮影装置１００に接続されたパーソナルコンピュータ（ＰＣ）であり、画像取得部１０１−０１、記憶部１０１−０２、撮影制御部１０１−０３、画像処理部１０１−０４、表示制御部１０１−０５を備える。また、情報処理装置１０１は演算処理装置ＣＰＵが画像取得部１０１−０１、撮影制御部１０１−０３、画像処理部１０１−０４及び表示制御部１０１−０５を実現するソフトウェアモジュールを実行することで機能を実現する。本発明はこれに限定されず、例えば画像処理部１０１−０４をＡＳＩＣ等の専用のハードウェアで実現してもよいし、表示制御部１０１−０５をＣＰＵとは異なるＧＰＵ等の専用プロセッサを用いて実現してもよい。なお、ＣＰＵとＧＰＵを併用することとしてもよい。さらに、使用するＣＰＵまたはＧＰＵは複数であってもよい。なお、ＣＰＵ等が実行するプログラムは少なくとも１以上のメモリに記憶されている。また、断層画像撮影装置１００と情報処理装置１０１との接続はネットワークを介した構成であってもよい。
【００４１】
画像取得部１０１−０１は断層画像撮影装置１００により撮影されたＳＬＯ眼底像や断層画像の信号データを取得する。また画像取得部１０１−０１は断層画像生成部１０１―１１を有し、断層画像撮影装置１００により撮影された断層画像の信号データ（干渉信号）を取得して信号処理を行うことで断層画像を生成し、生成した断層画像を記憶部１０１−０２に格納する。
【００４２】
撮影制御部１０１−０３は、断層画像撮影装置１００に対する撮影制御を行う。撮影制御には、断層画像撮影装置１００に対して撮影パラメータの設定に関して指示することや、繰り返し撮影の継続もしくは終了に関して指示することも含まれる。
【００４３】
画像処理部１０１−０４は、位置合わせ部１０１−４１、生成部１０１−４２、合成部１０１−４３、画像特徴取得部１０１−４４、投影部１０１−４５を有する。生成部１０１−４２は例えば、３次元モーションコントラスト画像を生成し、本発明に係る取得手段の一例に相当する。生成部１０１−４２、評価部１０１−４２１を有する。評価部１０１−４２１は、モーションコントラスト画像の元となる断層画像の画質の評価を行うこととしてもよいし、生成部１０１−４２が生成したモーションコントラスト画像の画質の評価を行ってもよい。合成部１０１−４３は本発明に係る合成手段の一例であり、判定部１０１−４３１を有する。合成部１０１−４３は生成部１０１−４２により生成された複数のモーションコントラストデータを合成して前記眼底の所定位置における断面を示す１のモーションコントラスト画像を生成する。画像特徴取得部１０１−４４は、断層画像を解析することで層境界等の画像特徴を取得する。投影部１０１−４５は、３次元モーションコントラスト画像における所定の深さ範囲において投影を行うことで２次元モーションコントラスト画像（ＥｎＦａｃｅ画像）を生成する。投影方法としては最大値投影または平均値投影など任意の方法を用いることができる。また、２次元モーションコントラスト画像を生成するための深さ範囲の指定は、取得された層境界に基づいて行うことが可能である。さらに、画像特徴取得部１０１−４４、投影部１０１−４５は生成部１０１−４２に含まれることとしてもよい。
【００４４】
外部記憶部１０２は、被検眼の情報（患者の氏名、年齢、性別など）と、撮影した画像（断層画像及びＳＬＯ画像・ＯＣＴＡ画像）や合成画像、撮影パラメータ、合成画像の合成条件データ、操作者によって設定されたパラメータをそれぞれ関連付けて保持している。入力部１０３は、例えば、マウス、キーボード、タッチ操作画面などであり、操作者は、入力部１０３を介して、情報処理装置１０１や断層画像撮影装置１００へ指示を行う。
【００４５】
次に、図３を参照して本実施形態の情報処理装置１０１の処理手順を示す。図３は、本実施形態における本システム全体の動作処理の流れを示すフローチャートである。
【００４６】
＜ステップ３０１＞
操作者は入力部１０３を操作することにより、断層画像撮影装置１００に対して指示するＯＣＴＡ画像の撮影条件を設定する。
【００４７】
図５（ａ）は表示部１０４に表示される検査セット設定画面５００を示している。検査セットとはプロトコルもしくは動作モードとも呼ばれ、検査目的別に設定した（スキャンモードを含む）撮像手順を表す。また、各スキャンモードで取得したＯＣＴ画像やＯＣＴＡ画像の既定の表示法も設定できる。検査セット設定画面５００は検査セット名称入力部５０１、スキャンモード指定部５０２、撮像パラメータ指定部５０３、追加ボタン５０４、検査セット一覧部５０５を備える。
【００４８】
はじめに、操作者は入力部１０３を操作して、検査セット名称入力部５０１に検査セットの名称を入力する。検査セットの名称は任意の文字列を入力でき、操作者にとってわかりやすい名称を定義してよい。例えば、図５（ａ）においては加齢黄斑変性（Ａｇｅｄ  Ｍａｃｕｌａｒ  Ｄｉｓｅａｓｅ；ＡＭＤ）を定義するため「ＡＭＤ」と入力している。
【００４９】
次に、操作者は入力部１０３を操作してスキャンモード指定部５０２で検査セットに追加するスキャンモードを選択する。スキャンモード指定部５０２はプルダウンメニュー形式の指定部として構成されており、ＯＣＴＡスキャンモードを含む複数のスキャンモードの中から選択できる。本実施形態に置いては、「ＯＣＴＡ」スキャンモードを選択する。
【００５０】
さらに、操作者が入力部１０３を操作して図５（ａ）に示す撮像パラメータ指定部５０３から（Ａ）個々のＯＣＴＡ撮影に関する撮影条件、（Ｂ）繰り返しＯＣＴＡ撮影全体に関する撮影条件を入力もしくは選択する。
【００５１】
本実施形態では（Ｂ）繰り返しＯＣＴＡ撮影全体の撮影条件は操作者が記憶している。また、該（Ｂ）の撮影条件を満たしたか否かについても進捗情報に基づいて操作者自身が判断するため、本画面では特に（Ｂ）の撮影条件の設定は行わず（Ａ）個々の撮影に関する撮影条件のみを指示するものとする。なお（Ｂ）繰り返しＯＣＴＡ撮影全体に関する撮影条件の設定法については第二実施形態で説明する。
【００５２】
本実施形態においては個々のＯＣＴＡ撮影に関する撮影条件として、図５（ａ）に示すように
Ａ−１）  走査パターン（Ｓｃａｎ  Ｐａｔｔｅｒｎ）
Ａ−２）  走査領域サイズ（Ｓｃａｎ  Ｓｉｚｅ）
Ａ−３）  主走査方向（Ｓｃａｎｎｉｎｇ  Ｄｉｒｅｃｔｉｏｎ）
Ａ−４）  走査間隔（Ｄｉｓｔａｎｃｅ  ｂｅｔｗｅｅｎ  Ｂ−ｓｃａｎｓ）
Ａ−５）  固視灯位置（Ｆｉｘａｔｉｏｎ  Ｐｏｓｉｔｉｏｎ）
Ａ−６）  コヒーレンスゲート位置（Ｃ−Ｇａｔｅ  Ｏｒｉｅｎｔａｔｉｏｎ）
Ａ−７）  １クラスタあたりのＢスキャン数（Ｂ−ｓｃａｎｓ  ｐｅｒ  Ｃｌｓｔｅｒ）
を指示する。
【００５３】
これに限らず、例えば１ＢスキャンあたりのＡスキャン数のように、任意の公知の撮影パラメータを指示して良い。
【００５４】
最後に、操作者は入力部１０３を操作して追加ボタン５０４を押下する。
【００５５】
これにより、加齢黄斑変性眼向けの設定がなされたＯＣＴＡスキャンモードを含む検査セットが「ＡＭＤ」という名前で登録される。登録された検査セットは外部記憶部１０２に記憶され、検査セット一覧部５０５に表示される。
【００５６】
＜ステップ３０２＞
操作者は入力部１０３を操作することにより、図５（ｂ）に示す撮影画面５１０中の検査セット選択部５１１から所望の検査セットを選択し、さらにスキャンモード選択部５１２から（所望の検査セットに含まれる）スキャンモードを選択する。
【００５７】
本実施形態においては、検査セットとしてＳ３０１で設定した「ＡＭＤ」検査セットを選択し、スキャンモードとして「ＯＣＴＡ」撮影モードを選択する。
【００５８】
＜ステップ３０３＞
操作者は入力部１０３を操作して撮影画面５１０中の撮影開始（Ｃａｐｔｕｒｅ）ボタン５１３を押下することにより、Ｓ３０１及びＳ３０２で指定した撮影条件による繰り返しＯＣＴＡ撮影の開始を指示する。
【００５９】
＜ステップ３０４＞
撮影制御部１０１−０３は断層画像撮影装置１００に対してＳ３０１〜Ｓ３０２で操作者が指示した設定に基づいて（各走査位置で１クラスタ分の）ＯＣＴＡ撮影を実施することを指示し、断層画像撮影装置１００が対応するＯＣＴ断層画像を取得する。
【００６０】
なお、本ステップにおいて断層画像撮影装置１００はＳＬＯ画像の取得も行い、ＳＬＯ動画像に基づく追尾処理を実行する。本実施形態において繰り返しＯＣＴＡ撮影における追尾処理に用いる基準ＳＬＯ画像は１回目の繰り返しＯＣＴＡ撮影において設定した基準ＳＬＯ画像とし、全ての繰り返しＯＣＴＡ撮影において共通の基準ＳＬＯ画像を用いる。ただし、例えば繰り返しＯＣＴＡ撮影の度に（１回目の繰り返しＯＣＴＡ撮影の際に使用した基準ＳＬＯ画像に対して）ＳＬＯ画像を位置合わせし、重ね合わせ処理することで基準ＳＬＯ画像を更新してもよい。
【００６１】
本実施形ではＳ３０１で設定した（図５（ａ）に示す）撮影条件でクラスタ走査を行う。すなわち、中心窩を撮像中心とする３ｘ３ｍｍの矩形領域内を、水平方向を主走査方向として垂直方向（副走査方向）の各位置において３回連続でのＢ−ｓｃａｎを実施する。また、図５（ａ）に示す撮影条件においては時間的に隣接するクラスタ走査の間隔は０．０１ｍｍであり、硝子体側にコヒーレンスゲートを設定してＯＣＴ断層像を取得している。なお、本実施形態においてはＢ−ｓｃａｎ１枚が３００Ａスキャンで構成されるものとする。
【００６２】
またＯＣＴＡ繰り返し撮影中は、Ｓ３０１で設定した撮影条件に加えて
・左右眼の選択
・追尾処理の実行有無
についても同じ設定値を用いる（変更しない）ものとする。例えば、１回目の撮影においては、固指標位置などの撮影に関する設定値の変更は受け付けるが、繰り返し撮影継続指示ボタン６０３を押した後の撮影の場合には撮影に関する設定値の変更は受け付けない。すなわち、本実施例における情報処理システム１０は、左右眼の選択、主走査方向、走査位置、同一位置において取得する断層像数、追尾処理の実施有無、追尾用に用いる正面画像、固視標位置、コヒーレンスゲート位置の少なくとも１つの設定に関して、第一の３次元モーションコントラスト画像（１回目の撮影による画像）を取得した際と同じ設定値を用いて第二の３次元モーションコントラスト画像（２回目以降の撮影による画像）を取得する。
【００６３】
なお、上記の例では繰り返し撮影継続指示ボタン６０３を押した後の撮影の場合には撮影に関する設定値の変更は受け付けないこととしたが、繰り返し撮影継続指示ボタン６０３を押した後の撮影において撮影に関する設定値の変更が行われた場合には、警告が行われることとしてもよい。警告は例えば、表示制御部１０１−０５が表示部１０４にメッセージ等を表示させることで実現される。表示させるメッセージとしては設定値を変更すると合成画像に影響がある可能性がある旨を示すメッセージであればよい。
【００６４】
すなわち、情報処理システム１０は、第二の３次元モーションコントラスト画像を取得する際に、設定に関する変更指示を受け付けないか、操作者による設定の変更指示を受け付けた場合に表示手段に警告表示を行う。
【００６５】
＜ステップ３０５＞
画像取得部１０１−０１及び画像処理部１０１−０４は、Ｓ３０４で取得されたＯＣＴ断層像に基づいてモーションコントラスト画像を生成する。
【００６６】
まず断層画像生成部１０１−１１は画像取得部１０１−０１が取得した干渉信号に対して波数変換及び高速フーリエ変換（ＦＦＴ）、絶対値変換（振幅の取得）を行うことで１クラスタ分の断層画像を生成する。次に位置合わせ部１０１−４１は同一クラスタに属する断層画像同士を位置合わせし、重ねあわせ処理を行う。画像特徴取得部１０１−４４が該重ね合わせ断層像から層境界データを取得する。本実施形態では層境界の取得法として可変形状モデルを用いるが、任意の公知の層境界取得手法を用いてよい。投影部１０１−４５は、例えば層境界に基づいて定められた深さ範囲において深さ方向に投影を行うことで２次元のモーションコントラスト画像を生成する。なお層境界の取得処理は必須ではなく、例えばモーションコントラスト画像の生成を３次元のみで行い、深度方向に投影した２次元のモーションコントラスト画像を生成しない場合には層境界の取得処理は省略できる。生成部１０１−４２が同一クラスタ内の時間的に隣接する断層画像間でモーションコントラストを算出する。本実施形態では、モーションコントラストとして脱相関値Ｍｘｙを以下の式（１）に基づき求める。
【００６７】
【数１】
2019047842.tif 000003
【００６８】
ここで、Ａｘｙは断層像データＡの位置（ｘ，ｙ）における（ＦＦＴ処理後の複素数データの）振幅、Ｂｘｙは断層データＢの同一位置（ｘ，ｙ）における振幅を示している。０≦Ｍｘｙ≦１であり、両振幅値の差異が大きいほど１に近い値をとる。式（１）のような脱相関演算処理を（同一クラスタに属する）任意の隣接する断層像間で行い、得られた（１クラスタあたりの断層像数  −１）個のモーションコントラスト値の平均を画素値として持つ画像を最終的なモーションコントラスト画像として生成する。
【００６９】
なお、ここではＦＦＴ処理後の複素数データの振幅に基づいてモーションコントラストを計算したが、モーションコントラストの計算法は上記に限定されない。例えば複素数データの位相情報に基づいてモーションコントラストを計算してもよいし、振幅と位相の両方の情報に基づいてモーションコントラストを計算してもよい。あるいは、複素数データの実部や虚部に基づいてモーションコントラストを計算してもよい。
【００７０】
また、本実施形態ではモーションコントラストとして脱相関値を計算したが、モーションコントラストの計算法はこれに限定されない。例えば二つの値の差分に基づいてモーションコントラストを計算しても良いし、二つの値の比に基づいてモーションコントラストを計算してもよい。
【００７１】
さらに、上記では取得された複数の脱相関値の平均値を求めることで最終的なモーションコントラスト画像を得ているが、本発明はこれに限定されない。例えば取得された複数の脱相関値の中央値、あるいは最大値を画素値として持つ画像を最終的なモーションコントラスト画像として生成しても良い。
【００７２】
＜ステップ３０６＞
表示制御部１０１−０５は、Ｓ３０５で生成されたモーションコントラスト画像と、繰り返しＯＣＴＡ撮影に関する進捗情報を表示部１０４に表示させる。
【００７３】
図６に撮影確認画面６００の例を示す。本実施形態ではＳＬＯ画像及び断層画像、Ｓ３０５で生成したモーションコントラスト画像６０１、進捗情報として繰り返しＯＣＴＡ撮影の繰り返し回数（Ｒｅｐｅａｔ  Ｃｏｕｎｔ）６０２を撮影確認画面６００に表示している。図６（ａ）は２回目のモーションコントラスト画像生成後に表示される画面の一例を示している。すなわち、最初のモーションコントラスト画像生成後に繰り返し撮影継続指示ボタン６０３が選択され再度モーションコントラスト画像が生成された後に表示される画面である。図６（ａ）に示す例では「Ｒｅｐｅａｔ  Ｃｏｕｎｔ  ２」と何回目の撮影が終了しているかを示す情報が表示されている。なお、１回目の撮影では、「Ｒｅｐｅａｔ  Ｃｏｕｎｔ」を表示しないこととしてもよい。すなわち、繰り返し撮影継続指示ボタン６０３が選択された後に表示される撮影確認画面において初めて「Ｒｅｐｅａｔ  Ｃｏｕｎｔ」を表示することとしてもよい。なお、表示する文字列は「Ｒｅｐｅａｔ  Ｃｏｕｎｔ」という文字列に限定されるものではなく、単に「Ｒｅｐｅａｔ」と表示するようにしてもよい。ここで、図６（ａ）を表示部１０４に表示させる表示制御部１０１−０５は、第一の３次元モーションコントラスト画像の撮影時と同一固視標位置で撮影される画像であって第一の３次元モーションコントラスト画像と合成される前記被検眼の第二の３次元モーションコントラスト画像の取得に関する指示を受け付けるインタフェース、および、第一の３次元モーションコントラスト画像とを表示手段に表示させる表示制御手段の一例に相当する。
【００７４】
図６ではモーションコントラスト画像を２次元画像として表示しているが、これに限らず３次元モーションコントラスト画像を撮影確認画面６００に表示してもよい。
【００７５】
なお、本発明における進捗情報は撮影確認時点での繰り返しＯＣＴＡ撮影回数に限定されない。例えば撮影確認時点での取得済モーションコントラストデータ数（（取得された断層像数−１）枚）もしくは取得済断層像数でもよい。あるいは、所定値以上の評価値を持つ断層画像数もしくは、所定値以上の評価値を持つモーションコントラストデータ数でもよい。
【００７６】
また数値以外の進捗情報として、撮影確認時点までに取得済のモーションコントラスト画像の合成画像を表示してもよい。表示制御部１０１−０５は、例えば、モーションコントラスト画像６０１として、モーションコントラスト画像の合成画像を表示してもよい。モーションコントラスト画像６０１として、モーションコントラスト画像の合成画像を表示させる場合、後述するステップＳ３１３，３１４の処理をステップＳ３０５とステップＳ３０６との間で実行する。また、モーションコントラスト画像の合成画像と撮影された最新のモーションコントラスト画像（合成前のモーションコントラスト画像）を並べて表示することとしてもよい。合成画像として本実施形態ではモーションコントラスト画像の加算平均画像を生成する。本発明は加算平均処理に限定されるものではなく、撮影位置が略同一の複数画像を任意の方法で合成した画像を表示してよい。図６（ｂ）及び同図（ｃ）に各々繰り返しＯＣＴＡ撮影回数Ｎ＝１の時、Ｎ＝９の時に表示される「撮影確認時点での取得済モーションコントラスト画像の合成画像」の例を示す。繰り返しＯＣＴＡ撮影の繰り返し回数が進む（Ｎが増加する）に従って画質が向上し、血管と無血管領域とのコントラストや血管の連続性が向上したり、無血管領域内の輝度のばらつきが低下したりすることがわかる。操作者は合成画像が所望の画質に達しているか目視で判断した結果に基づいて、繰り返しＯＣＴＡ撮影の継続可否を指示できる。なお、本ステップでは合成モーションコントラスト画像は２次元画像として撮影確認画面６００に表示しているが、これに限らず３次元の合成モーションコントラスト画像を撮影確認画面６００に表示させてもよい。
【００７７】
あるいは、取得済モーションコントラスト画像もしくは上記合成画像に対して算出した評価値を進捗情報として表示してもよい。評価値として、本実施形態ではモーションコントラスト値の平均値を算出する。これに限らず、進捗情報としてモーションコントラスト値の他の統計値（中央値や最大値等）を算出して表示してもよい。あるいは、式（２）で定義される黄斑におけるモーションコントラスト値のＳＮ比（ｆｌｏｗ  ｓｉｇｎａｌ−ｔｏ−ｎｏｉｓｅ  ｒａｔｉｏ；ｆＳＮＲ）を算出して表示してもよい。
【００７８】
【数２】
2019047842.tif 000004
【００７９】
ここで、Ａｐａｒａｆｏｖｅａは傍中心窩領域におけるモーションコントラスト値の平均値、Ａｆａｚは中心窩無潅流領域（Ｆｏｖｅａｌ  Ａｖａｓｃｕｌａｒ  Ｚｏｎｅ；  ＦＡＺ）におけるモーションコントラスト値の平均値を表す。またσｆａｚはＦＡＺにおけるモーションコントラスト値の標準偏差を表す。画質が向上するにつれて式（２）分母の値が減少し、分子の値が増加する。
【００８０】
また撮影確認画面６００の右下には繰り返し撮影継続指示ボタン６０３、Ｓ３０４〜Ｓ３０５で取得されたクラスタ断層画像及びモーションコントラスト画像６０１の許容指示ボタン６０４及び非許容指示ボタン６０５が配置されている。
【００８１】
なお図６（ｄ）に示すように、撮影確認画面６００においては断層画像上に当該走査位置におけるモーションコントラスト６１０を重畳表示してもよい。
【００８２】
以上のように、表示制御部１０１−０５は、進捗情報として繰り返し撮像回数、繰り返し撮像により取得した画像の総数、繰り返し撮像により取得した画像のうち所定値以上の評価値を持つ画像数、取得した画像に関する評価データ、取得済モーションコントラスト画像の合成画像のうち少なくとも１つを表示手段に表示させる。
【００８３】
＜ステップ３０７＞
操作者は撮影確認画面６００に表示された進捗情報に基づいて繰り返しＯＣＴＡ撮影継続の可否を決定する。具体的には、所望の繰り返し撮影回数に達しているか、あるいは合成画像が所望の画質に達しているかなどを操作者が判断した上で、操作者が繰り返し撮影継続の可否を決定する。繰り返しＯＣＴＡ撮影を継続する場合はＳ３０８に処理を進め、継続しない場合はＳ３１０へ処理を進める。
【００８４】
＜ステップ３０８＞
操作者が撮影確認画面６００上の繰り返し撮影継続指示ボタン６０３を押下することにより、情報処理装置１０１が断層画像撮影装置１００に対して繰り返しＯＣＴＡ撮影の継続を指示する。
【００８５】
なお、繰り返し撮影継続指示用のユーザインターフェースは任意の種類のユーザインターフェースを用いてよい。図６（ａ）に示した通常のボタン以外にも、例えばトグルボタン、ラジオボタン、チェックボックス、リストボックス、コンテキストメニュー等を用いることができる。
【００８６】
＜ステップ３０９＞
情報処理装置１０１は、Ｎ回目の繰り返しＯＣＴＡ撮影において
ａ）取得した画像群（ＳＬＯ画像や断層画像）と該画像群の撮影条件データ、該画像群に属する各画像の評価値（Ｑｕａｌｉｔｙ  Ｉｎｄｅｘ）
ｂ）生成したモーションコントラスト画像と該モーションコントラスト画像の生成条件データ
ｃ）Ｎ回目の繰り返しＯＣＴＡ撮影までに取得したモーションコントラスト画像群に関する属性データ
を検査日時、披検眼を同定する情報と関連付けて外部記憶部１０２へ保存する。
【００８７】
なおモーションコントラスト画像の生成条件データとしては、
ｂ−１）断層画像の属性データと同じデータ
（走査領域サイズ、画素数、クラスタあたりの断層画像数）
ｂ−２）モーションコントラスト画像に固有のデータ
（投影アーチファクト除去処理の有無）
ｂ−３）２次元モーションコントラスト画像に固有のデータ
（投影深度範囲、投影方法（最大値投影／平均値投影）、表示条件
（トーンカーブの設定等））
ｂ−４）３次元モーションコントラスト画像に固有のデータ
（レンダリング方法、表示条件（トーンカーブの設定等））
を保存する。なお、ｂ−１）はａ）で保存される撮影条件データへのリンクとして保存すればよい。
【００８８】
また、情報処理装置１０１は繰り返しＯＣＴＡ撮影において取得した複数のモーションコントラスト画像同士を関連付けてモーションコントラスト画像グループとし、該グループに関する属性データを外部記憶部１０２に保存する。
【００８９】
モーションコントラスト画像群に関する属性データとして本実施形態では
ｃ−１）繰り返しＯＣＴＡ撮像で取得したモーションコントラスト画像群に対して付与するモーションコントラスト画像グループ名
ｃ−２）ｃ−１）で規定されたモーションコントラスト画像グループに属するモーションコントラスト画像データへのパス
ｃ−３）ｃ−２）のリストに含まれるモーションコントラスト画像の評価値
ｃ−４）ｃ−２）のリストに含まれる画像同士を位置合わせする際に使用する基準画像へのパス
を外部記憶部１０２へ保存する。
【００９０】
なお、ｃ）のモーションコントラスト画像グループに関する属性データは繰り返しＯＣＴＡ撮影の１回目（Ｎ＝１）に生成しておき、Ｎ≧２においてはＮ＝１の時に生成した属性データを参照して追記もしくは更新すればよい。またｃ）の属性データは文字列に限定されるものではなく、例えば識別番号のような数値でもよい。画像の保存・関連付け処理が完了し次第、Ｓ３０４へ処理を戻してＯＣＴＡ繰り返し撮影を継続する。
【００９１】
＜ステップ３１０＞
操作者は撮影確認画面６００上に表示された繰り返し回数Ｎ回目のＯＣＴＡ撮影において取得したモーションコントラスト画像６０１に基づいて該取得済モーションコントラスト画像６０１の保存の可否を決定する。該取得済モーションコントラスト画像６０１を保存する場合はＳ３１１へ処理を進め、保存しない場合はＳ３１２へ処理を進める。
【００９２】
＜ステップ３１１＞
操作者が撮影確認画面６００上の許容指示ボタン６０４を押下することで、
１）情報処理装置１０１が断層画像撮影装置１００に対して繰り返しＯＣＴＡ撮影の終了を指示する。
２）情報処理装置１０１に対して取得済モーションコントラスト画像の保存を指示する。
【００９３】
＜ステップ３１２＞
操作者が撮影確認画面６００上の非許容指示ボタン６０５を押下することにより、情報処理装置１０１が断層画像撮影装置１００に対して繰り返しＯＣＴＡ撮影の終了を指示する（取得済モーションコントラスト画像は保存しない）。
【００９４】
なお、本実施形態では非許容指示が入力された場合にＮ回目の繰り返しＯＣＴＡ撮影で取得された画像の保存・関連付けを行わない場合について説明したが、これに限らない。例えば非許容指示が入力された場合に観察もしくは解析に適しない画像であることを示す情報（例えばＮＧラベル）を付与した上で、Ｎ回目の繰り返しＯＣＴＡ撮影で取得された画像の保存・関連付けを行ってもよい。
【００９５】
＜ステップ３１３＞
情報処理装置１０１は、取得済モーションコントラスト画像６０１の保存・関連付けを行う。画像の保存・関連付け処理の詳細はＳ３０９の場合と同様であるので、詳細な説明は省略する。
【００９６】
＜ステップ３１４＞
画像処理部１０１−０４は、繰り返しＯＣＴＡ撮影を通して得られたモーションコントラスト画像群を位置合わせし、加算平均することで合成モーションコントラスト画像を生成する。なお、合成処理は単純加算平均に限定されない。例えば各モーションコントラスト画像の輝度値に対して任意の重みづけをした上で平均した値でもよいし、中央値をはじめとする任意の統計値を算出してもよい。
【００９７】
また、判定部１０１−４３１が合成処理に不適なモーションコントラスト画像が含まれているか否かを判定した上で、不適と判定したモーションコントラスト画像を除いて合成部１０１−４３が合成処理を行うよう構成してもよい。例えば、各モーションコントラスト画像に対してＳ３０６で算出した評価値（脱相関値に関する統計値や、ｆＳＮＲ）が所定の範囲外である場合に、合成処理に不適と判定すればよい。
【００９８】
本実施形態では合成モーションコントラスト画像を２次元画像として生成するが、該合成モーションコントラスト画像を３次元画像として生成する場合は画像特徴取得部１０１−４４による層境界取得処理及び投影部１０１−４５による投影処理は省略してよい。また、単一の深度範囲に限定されるものではなく、異なる深度範囲で複数の２次元合成モーションコントラスト画像を生成してもよい。
【００９９】
また、画像処理部１０１−０４は、生成した合成モーションコントラスト画像に関してもＳ３０９もしくはＳ３１３の場合と同様に
ａ´）合成モーションコントラスト画像の生成に用いられた画像群（断層画像群）や該画像群の撮影条件データ、該画像群の評価値データへのリンク
ｂ´）合成モーションコントラスト画像と該合成モーションコントラスト画像に関する合成条件データ、該合成画像に関する評価値データ
ｃ）モーションコントラスト画像グループに関する属性データ
を生成する。
【０１００】
なお、
ｂ´）の合成モーションコントラスト画像に関する合成条件データは
ｂ´‐１）断層画像の属性データと同じデータ
ｂ´‐２）合成モーションコントラスト画像に固有のデータ
ｂ´‐３）２次元合成モーションコントラスト画像に固有のデータ
ｂ´‐４）３次元合成モーションコントラスト画像に固有のデータ
から構成される。
【０１０１】
また合成モーションコントラスト画像の場合は
ｂ´−２）合成モーションコントラスト画像に固有のデータ
として「投影アーチファクト除去処理の有無」だけでなく、
ｂ´‐２−１）合成処理時に行う画像位置合わせにおける基準画像へのパス
（実際は、モーションコントラスト画像グループに関する属性データのｃ−４）として保存されているデータへのリンク）
ｂ´−２−２）合成処理においてｃ−２）のリストに含まれるパスに対応する各モーションコントラスト画像に対して乗じる重み
（合成に用いない場合は０）
ｂ´−２−３）該重みが０より大きい値を持つモーションコントラスト画像数
（重み＞０である場合の繰り返し撮影回数（Ｎ）のリスト）
も保存する。
【０１０２】
画像処理部１０１−０４は、生成した合成モーションコントラスト画像及び本ステップで説明したａ´）、ｂ´）、ｃ）に属するデータを外部記憶部１０２へ保存する。
【０１０３】
＜ステップ３１５＞
断層画像撮影装置１００は、情報処理装置１０１より受け付けた指示に基づき繰り返しＯＣＴＡ撮影を終了する。
【０１０４】
＜ステップ３１６＞
図８（ａ）に示すように、表示制御部１０１−０５は表示部１０４にレポート画面８１０を表示させる。
【０１０５】
レポート画面８１０には
・合成モーションコントラスト画像８１３
・該合成モーションコントラスト画像の合成条件に関する情報８１２
が表示され、これはＳ３１４で画像処理部１０１−０４が生成した
ｂ´）合成モーションコントラスト画像と該合成モーションコントラスト画像に関する合成条件データ、該合成画像に関する評価値データ
に対応している。
【０１０６】
図８（ａ）では、合成条件に関する情報８１２として
ｂ´‐１）断層画像の属性データと同じデータ
（走査領域サイズ（３ｘ３ｍｍ）、画素数（３００ｘ３００）、クラスタあたりの断層画像数（×３））
ｂ´‐２）合成モーションコントラスト画像に固有のデータ
（投影アーチファクト除去処理の有無（Ｐｒｏｊｅｃｔｉｏｎ  Ａｒｔｉｆａｃｔ  Ｒｅｍｏｖａｌ：ＯＮ）、合成処理時に行う画像位置合わせにおける基準画像（１ｓｔ＊、すなわち繰り返し撮影回数１回目の画像）、合成処理時の重み＞０であるモーションコントラスト画像数（Ｎｕｍｂｅｒ  ｏｆ  Ｃｌｕｓｔｅｒｓ：３））
ｂ´‐３）２次元合成モーションコントラスト画像に固有のデータ
（投影方法（ＭＩＰ））
をレポート画面８１０に表示している。図８（ａ）に示す例では、１，２、４回目に撮影したモーションコントラスト画像の合成画像であることが示されている。なお、合成に用いたモーションコントラスト画像の画質の評価値を表示させることとしてもよい。すなわち、表示制御部１０１−０５は、合成手段が生成した合成画像を表示する際に、合成条件情報として繰り返し撮影回数、合成に用いた画像数、合成時の基準画像、何回目に撮像した画像かを示す数値、合成に用いた画像の撮影条件、合成に用いた画像に関する評価値の少なくとも１つを表示手段に表示させる。
【０１０７】
また、検査画像リストには合成画像に関する項目８１１も含んでおり、該項目８１１には合成条件に関する情報（Ｎｕｍｂｅｒ  ｏｆ  Ｃｌｕｓｔｅｒｓ：３、Ｒｅｆｅｒｅｎｃｅ  Ｃｌｕｓｔｅｒ：１ｓｔ）も表示することで、異なる合成条件で合成画像が生成される場合でも検査画像を選択しやすくしている。
【０１０８】
なお、レポート画面８１０に表示する合成条件データは、上記に限られるものではない。
【０１０９】
例えば図８（ｂ）に示すように、合成条件として合成モーションコントラスト画像の生成に用いられたモーションコントラストデータ数（Ｎｕｍｂｅｒ  ｏｆ  ＭＣ  ｉｍａｇｅｓ；（１クラスタあたりの断層画像数−１）×合成に用いられたモーションコントラスト画像数）を表示してもよい。
【０１１０】
あるいは、図８（ｃ）に示すように合成条件として合成モーションコントラスト画像の生成に用いられた断層画像数（Ｎｕｍｂｅｒ  ｏｆ  Ｂ−ｓｃａｎｓ；１クラスタあたりの断層画像数×合成に用いられたモーションコントラスト画像数）を表示してもよい。
【０１１１】
あるいは、図８（ｄ）に示すように合成処理に用いられた断層画像もしくはモーションコントラスト画像の評価値データ（ＱＩ）を表示してもよい。
【０１１２】
あるいは、図８（ｅ）に示すように合成時の位置合わせで用いる基準画像を所定のモーションコントラスト画像同士の合成によって生成したことを示す情報（ｒｅｆ＝ｃｏｍｐｏｓｉｔｅ）を表示してもよい。
【０１１３】
なお、本発明で表示する２次元の合成モーションコントラスト画像を表示しているが、本発明はこれに限定されず３次元の合成モーションコントラスト画像をレポート画面８１０に表示してもよい。
【０１１４】
なお、繰り返しＯＣＴＡ撮影継続の可否選択のユーザインターフェースと、Ｎ回目の繰り返しＯＣＴＡ撮影で取得したデータの保存可否選択のユーザインターフェースを別のユーザインターフェースとして撮影確認画面に表示する場合も本発明に含まれる。例として、撮影確認画面６００に図６（ｅ）に示すユーザインターフェースを表示する場合の処理フローを図７に示す。Ｓ７０７で操作者がＮ回目の繰り返しＯＣＴＡ撮影で取得したデータの保存可否（もしくは不適ラベルの付与可否）を決定し、保存する場合許容指示ボタン６２２を押してＳ７０８で保存・関連付け処理を行い、保存しない（もしくは不適ラベルを付与した上で保存する）場合は非許容指示ボタン６２３を押下してＳ７０９へ処理を進める。
【０１１５】
次にＳ７０９で操作者が繰り返しＯＣＴＡ撮影継続の可否を決定し、継続する場合Ｓ７１０で繰り返し撮影継続指示ボタン６２０を押下してＳ７０４へ処理を進め、継続しない場合Ｓ７１１で繰り返し撮影終了指示ボタン６２１を押下してＳ７１２へ処理を進める。
【０１１６】
ステップＳ７１２では、合成部１０１−４３が、例えばステップＳ７０８で保存されたモーションコントラスト画像を合成する。
【０１１７】
また、本実施形態では合成部１０１−４３が繰り返しＯＣＴＡ撮影終了指示に基づいて合成モーションコントラスト画像を生成する場合について説明したが、合成モーションコントラスト画像の生成手順はこれに限定されない。例えば図８のレポート画面８１０上に合成モーションコントラスト画像生成指示ボタン８１４を配置しておく。ＯＣＴＡ撮影完了後（撮影日より後の日でもよい）に操作者が明示的に該生成指示ボタン８１４を押下した場合に合成部１０１−４３が合成モーションコントラスト画像を生成するよう情報処理装置１０１を構成してもよい。操作者が明示的に合成画像生成指示ボタン８１４を押下して合成画像を生成する場合、図９に示すようなレポート画面８１０上に合成モーションコントラスト画像９０３や合成条件データ９０２、検査画像リスト上に合成画像に関する項目９０１を表示させる。図９では合成画像の生成日時を表示しているが、例えば撮影日時を表示してもよいし、撮影日時と合成日時の両方をレポート画面８１０に表示してもよい。
【０１１８】
また操作者が明示的に該生成指示ボタン８１４を押下する場合は、表示制御部１０１−０５が以下の処理を行う。すなわち、図８（ｆ）に示す合成対象画像選択画面８２０を表示させ、操作者が入力部１０３を操作して合成対象画像群８２１を指定し、許容ボタン８２３を押下した場合に合成部１０１−４３が合成モーションコントラスト画像を生成し、表示部１０４に表示させる。なお、生成済の合成モーションコントラスト画像８２２を選択して合成する場合も本発明に含まれる。また、２次元の合成画像を生成する場合は操作者が投影深度範囲を指定した上で、該生成指示ボタン８１４を押下する。投影深度範囲の指定手段としては、操作者がレポート画面８１０上で網膜層境界線の種類とオフセット位置を指定してもよいし、リストボックスに表示された既定の深度範囲セットの中から操作者が選択してもよい。また操作者が投影深度範囲及び合成画像生成指示ボタン８１４を押下した場合、３次元モーションコントラスト画像を投影した２次元画像同士を合成することにより２次元合成画像を生成してもよいし、３次元合成画像を生成後に投影することで２次元合成画像を生成してもよい。
【０１１９】
なお、合成モーションコントラスト画像生成指示ボタン８１４が選択される以前に合成画像を生成しておき、表示制御部１０１−０５は、デフォルトは合成前の所定のモーションコントラスト画像を表示部１０４に表示させ合成モーションコントラスト画像生成指示ボタン８１４が選択された場合に合成画像に切り替えることとしてもよい。
【０１２０】
以上述べた構成によれば、情報処理装置１０１は、撮影確認画面に表示された進捗情報に基づいて操作者が繰り返し撮影ボタンを指定することにより繰り返し撮影の継続可否を指示する。該指示により、所望の高コントラストな合成モーションコントラスト画像の生成に用いられるモーションコントラスト画像群を取得する。
【０１２１】
これにより、所望の高コントラストな合成モーションコントラスト画像を得るために必要なモーションコントラストデータを的確かつ迅速に取得できる。
【０１２２】
［第二の実施形態］
本実施形態に係る情報処理装置は、撮影条件設定時に繰り返しＯＣＴＡ撮影に関する目標値をあらかじめ設定しておき、該目標値に達するまで自動的に繰り返しＯＣＴＡ撮影を実行する場合について説明する。
【０１２３】
本実施形態に係る情報処理装置１０１を備える情報処理システム１０の構成を図１０に示す。撮影制御部１０１−０３に判定部１０１−３１、決定部１０１−３２、指示部１０１−３３を備える点が第一実施形態の場合と異なっている。また、本実施形態での画像処理フローは図１１に示す通りであり、Ｓ１１０１、Ｓ１１０６、Ｓ１１０９以外は第一実施形態の場合と同様であるので説明は省略する。
【０１２４】
＜ステップ１１０１＞
操作者は入力部１０３を操作することにより、断層画像撮影装置１００に対して指示するＯＣＴＡ画像の撮影条件を設定する。
【０１２５】
図１２（ａ）は表示部１０４に表示される検査セット設定画面１２００を示しており、撮像パラメータ指定部１２０３のみが第一実施形態の場合と異なっている。本実施形態では、撮像パラメータ指定部１２０３に（Ａ）個々のＯＣＴＡ撮影に関する撮影条件と（Ｂ）繰り返しＯＣＴＡ撮影全体に関する撮影条件の両方を入力するものとし、（Ｂ）繰り返しＯＣＴＡ撮影全体に関する撮影条件として
Ｂ−１）繰り返し撮影回数の目標値
（Ｔａｒｇｅｔ  Ｒｅｐｅａｔ  Ｃｏｕｎｔ）
Ｂ−２）重ね合わせＯＣＴＡ画像の画質目標値
（Ｔａｒｇｅｔ  Ａｎｇｉｏｇｒａｍ  Ｑｕａｌｉｔｙ）
を指示する。なお、繰り返し撮影回数の目標値および重ね合わせＯＣＴＡ画像の画質目標値のいずれか一方を撮影条件としてもよい。これに限らず任意の繰り返し撮影に関する撮像パラメータを指示してよく、例えば
Ｂ−３）取得するモーションコントラスト画像数の合計値に関する目標値
（図１２（ａ）の場合、２ｘ５＝１０）
や、
Ｂ−４）ＯＣＴ断層像数の合計値に関する目標値
（図１２（ａ）の場合、３ｘ５＝１５）
を指示してもよい。また、
Ｂ−３´）個々のＯＣＴＡ撮影において算出したＯＣＴ断層像の画質指標値（Ｓｉｎｇｌｅ  ＯＣＴ  Ｑｕａｌｉｔｙ  Ｉｎｄｅｘ；ＳＯＱＩ）が所定値以上であるようなＯＣＴ断層像の総和に関する目標値
もしくは
Ｂ−４´）個々のＯＣＴＡ撮影において算出したモーションコントラスト画像に関する画質指標値（Ｓｉｎｇｌｅ  ＯＣＴＡ  Ｑｕａｌｉｔｙ  Ｉｎｄｅｘ；ＳＡＱＩ）が所定値以上であるようなモーションコントラスト画像の総和に関する目標値を指示する場合も本発明に含まれる。
【０１２６】
例えば、ＳＯＱＩが０〜１０の範囲で算出され得る指標値であるとして、「ＳＯＱＩ≧７を満たすＯＣＴ断層像１５枚の取得」を撮影条件として指示してよい。また、ＳＯＱＩとして任意の指標値を算出してよいが、本実施形態ではモーションコントラスト画像に対して算出した脱相関値の平均値とし、例えば「ＳＡＱＩ≧０．１を満たすモーションコントラスト画像１０枚の取得」を撮影条件として指示してよい。
【０１２７】
＜ステップ１１０６＞
表示制御部１０１−０５は、Ｓ１１０５で生成されたモーションコントラスト画像と、繰り返しＯＣＴＡ撮影に関する進捗情報を表示部１０４に表示させる。
【０１２８】
本実施形態では、表示制御部１０１−０５が進捗情報として「目標繰り返し撮影回数」に対する「撮影確認時点までに撮影かつ許容指示した回数」の比（図１２（ｂ）では２／５）を撮影確認画面１２１０に表示する。なお、「目標繰り返し撮影回数」を表示することとしてもよい。
【０１２９】
あるいは進捗情報として、
・「目標モーションコントラストデータ数」に対する「撮影確認時点までに生成かつ許容指示したモーションコントラストデータ数」の比
・「合成モーションコントラスト画像の評価値の目標値」に対する「ｎ回目の繰り返し撮影時までに取得かつ許容指示したモーションコントラスト
画像を用いて生成した合成モーションコントラスト画像に対して算出した評価値」との比のいずれかを表示してもよい。すなわち、表示制御部１０１−０５は、進捗情報として取得した画像の撮影条件および許容判定された画像数の少なくとも１つを表示部１０４に表示させる。
【０１３０】
操作者がＮ回目の繰り返しＯＣＴＡ撮影で取得したデータの保存可否を決定する。取得済データを保存する場合は撮影確認画面１２１０上の許容指示ボタン１２１５を押下してＳ１１０８へ処理を進めて取得済モーションコントラスト画像の保存・関連付けを行い、保存しない場合は非許容指示ボタン１２１６を押下してＳ１１０９へ処理を進める。
【０１３１】
＜ステップ１１０９＞
撮影制御部１０１−０３はＳ１１０１で設定した撮影条件のうち、（Ｂ）繰り返しＯＣＴＡ撮影に関する撮影条件がＳ１１０１で設定した目標値に到達したか否かを判定する。本実施形態では、繰り返し撮影回数（Ｒｅｐｅａｔ  Ｃｏｕｎｔ）Ｎが目標値（５回）に達したか否かを判定する。なお、撮影制御部１０１−０３は、重ね合わせＯＣＴＡ画像の画質目標値に達したか否かを判定することとしてもよいし、画質および回数の両者の条件を満たしたか否かを判定条件とすることとしてもよい。該繰り返しＯＣＴＡ撮影の実行回数が該目標値に達していればＳ１１１０へ、未達であればＳ１１０４へ処理を進める。なお、本実施形態においては撮影確認画面１２１０上の繰り返し撮影継続指示ボタン１２１３は選択（押下）済の状態として表示しているが、必ずしも繰り返し撮影継続指示ボタン１２１３を撮影確認画面上に表示しなくてもよい。また、ＯＣＴＡ繰り返し撮影の終了指示（Ｅｘｉｔ）ボタン１２１４については被検者の体調などを考慮して途中でＯＣＴＡ撮影を中止できるようにするために表示し、押下可能にしておく。
【０１３２】
以上述べた構成によれば、情報処理装置１０１は、撮影条件設定時に決定された繰り返しＯＣＴＡ撮影に関する目標値に基づいて、該目標値に達するまで自動的に繰り返しＯＣＴＡ撮影を行う。
【０１３３】
これにより、所望の高コントラストな合成モーションコントラスト画像を得るために必要なモーションコントラストデータを迅速に取得できる。
【０１３４】
［第三の実施形態］
本実施形態に係る情報処理装置は、同一被検眼に対するフォローアップ検査として、異なる日時に略同一撮影条件で繰り返しＯＣＴＡ撮影を行う。
【０１３５】
具体的には、操作者が選択した基準検査において設定された繰り返しＯＣＴＡ撮影パラメータの目標値や該基準検査で生成した合成画像の合成条件データに基づいて繰り返しＯＣＴＡ撮影の継続可否を決定する場合について説明する。
【０１３６】
本実施形態に係る情報処理装置１０１を備える情報処理システム１０の構成を図１３に示す。外部記憶部１０２に過去検査データ１０２−１を備える点が第二実施形態の場合と異なる。本実施形態では、また、本実施形態での画像処理フローは図１４に示す通りであり、Ｓ１４０１、Ｓ１４０３以外は第二実施形態の場合と同様であるので説明は省略する。
【０１３７】
＜ステップ１４０１＞
操作者は、過去検査データが保存されている被検眼に関して基準検査を選択する。
【０１３８】
本実施形態においては、図１５（ａ）に示すような患者画面１５００において、操作者が入力部１０３を操作することで患者リスト（Ｐａｔｉｅｎｔ  Ｌｉｓｔ）から被検者１５０１を選択する。さらに操作者が該被検者の検査リスト（Ｅｘａｍｉｎａｔｉｏｎ  Ｌｉｓｔ）からフォローアップ検査における基準検査（Ｂａｓｅｌｉｎｅ）を選択することで基準検査を決定する。検査セットやスキャンモードの選択については、操作者が基準検査を選択した状態で撮影画面（ＯＣＴＣａｐｔｕｒｅ）を開くことにより情報処理装置１０１がフォローアップ検査セットを選択し、スキャンモードを基準検査と同一のスキャンモードに設定する。例えば図１５（ｂ）に示す撮影画面１５１０では、検査セットとして「Ｆｏｌｌｏｗ−ｕｐ」、スキャンモードとして「ＯＣＴＡ」モードが選択されている。
【０１３９】
また情報処理装置１０１は（Ａ）個々のＯＣＴＡ撮影に関する撮影条件、（Ｂ）繰り返しＯＣＴＡ撮影全体に関する撮影条件とも基準検査の撮影条件と同一の設定値に決定する。（Ｂ）の繰り返しＯＣＴＡ撮影全体に関する撮影条件として、基準検査で生成した合成画像の合成条件データ（例えば合成画像に対して算出した評価値）を目標値として設定してもよい。
【０１４０】
＜ステップ１４０３＞
撮影制御部１０１−０３は断層画像撮影装置１００に対してＳ１４０１で決定した（基準検査と同一の）撮影条件に基づいて（各走査位置で１クラスタ分の）ＯＣＴＡ撮影を実施することを指示し、断層画像撮影装置１００が対応するＯＣＴ断層画像を取得する。
【０１４１】
なお、フォローアップ検査における繰り返しＯＣＴＡ撮影中は、左右眼選択や固視標位置の移動、走査位置の変更に関する指示は受け付けない。
【０１４２】
また、フォローアップ検査における繰り返しＯＣＴＡ撮影中は、Ｓ１４０１で選択した基準検査で取得したＳＬＯ画像（正面画像）と同じ画像を用いて撮影制御部１０１−０３が追尾処理や撮影位置の決定を行う。これにより、被検者の固視が安定しない場合も基準検査で取得した撮像位置と略同一の撮影位置で断層画像を取得できる。すなわち、情報処理システム１０は、過去に取得した同一被検眼の検査の中から基準となる検査を指定する手段をさらに備え、基準検査において取得した正面画像を参照して基準検査において取得した断層画像もしくはモーションコントラスト画像と略同一位置の前記第一の３次元モーションコントラスト画像を取得する。
【０１４３】
以上述べた構成によれば、情報処理装置１０１は、異なる日時に略同一撮影条件で繰り返しＯＣＴＡ撮影を行う。操作者が選択した基準検査において設定された繰り返しＯＣＴＡ撮影パラメータの目標値や該基準検査で生成した合成画像の合成条件データに基づいて繰り返しＯＣＴＡ撮影の継続可否を決定する。
【０１４４】
これにより、所望の高コントラストな合成モーションコントラスト画像を得るために必要なモーションコントラストデータを迅速に取得できる。
【０１４５】
［その他の実施形態］
なお、上述した複数の実施形態を適宜組み合わせることも可能である。
【０１４６】
以上、実施形態例を詳述したが、開示の技術は例えば、システム、装置、方法、プログラムもしくは記録媒体（記憶媒体）等としての実施態様をとることが可能である。具体的には、複数の機器（例えば、ホストコンピュータ、インタフェース機器、撮像装置、ｗｅｂアプリケーション等）から構成されるシステムに適用しても良いし、また、一つの機器からなる装置に適用しても良い。
【０１４７】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【符号の説明】
【０１４８】
１０１−４２  生成部
１０１−０５  表示制御部
【図１】
2019047842.tif 000005
【図２】
2019047842.tif 000006
【図３】
2019047842.tif 000007
【図４】
2019047842.tif 000008
【図５】
2019047842.tif 000009
【図６】
2019047842.tif 000010
【図７】
2019047842.tif 000011
【図８】
2019047842.tif 000012
【図９】
2019047842.tif 000013
【図１０】
2019047842.tif 000014
【図１１】
2019047842.tif 000015
【図１２】
2019047842.tif 000016
【図１３】
2019047842.tif 000017
【図１４】
2019047842.tif 000018
【図１５】
2019047842.tif 000019
【図１６】
2019047842.tif 000020